(57)【要約】【課題】ユーザの背景の表示画面へ写り込みを低減して表示する表示装置を提供する。【解決手段】本発明に係る表示装置は、表示画像を表示する表示部と、表示部の表示画面に反射してユーザに認識される被写体の撮像画像を撮像する撮像部と、表示部の表示画面に反射してユーザに認識されうる反射画像を撮像画像から生成する反射画像生成部と、反射画像をユーザに認識させないように、反射画像に基づいて原画像を補正して表示画像を生成する表示画像生成部とを備える。【選択図】図２
2005346012.tif 000002
【特許請求の範囲】
【請求項１】
表示画像を表示する表示部と、
前記表示部の表示画面に反射してユーザに認識される被写体の撮像画像を撮像する撮像部と、
前記表示部の表示画面に反射して前記ユーザに認識されうる反射画像を前記撮像画像から生成する反射画像生成部と、
前記反射画像を前記ユーザに認識させないように、前記反射画像に基づいて原画像を補正して前記表示画像を生成する表示画像生成部と
を備える表示装置。
【請求項２】
前記表示画像生成部は、予め定められた明るさより明るい前記反射画像の部分領域に対応する前記原画像の部分領域の内部の明るさを低減させることによって前記表示画像を生成する
請求項１に記載の表示装置。
【請求項３】
前記表示画像生成部は、前記原画像の部分領域の内部における前記部分領域の周縁のみの明るさを低減させることによって前記表示画像を生成する
請求項２に記載の表示装置。
【請求項４】
前記表示画像生成部は、予め定められた明るさより明るい前記反射画像の部分領域に対応する前記原画像の部分領域の外部の明るさを増加させることによって前記表示画像を生成する
請求項１に記載の表示装置。
【請求項５】
前記表示画像生成部は、前記原画像の部分領域の外部における前記部分領域の周辺のみの明るさを増加させることによって前記表示画像を生成する
請求項４に記載の表示装置。
【請求項６】
前記撮像部は、前記ユーザの眼の被写界深度と略同一の被写界深度で、前記撮像画像を撮像する
請求項１に記載の表示装置。
【請求項７】
前記ユーザが存在する環境の明るさを検知する環境光検知部と、
前記環境光検知部が検出した前記環境の明るさに基づいて、前記ユーザの眼の被写界深度を算出する被写界深度算出部と
をさらに備え、
前記撮像部は、前記被写界深度算出部が算出した前記ユーザの眼の被写界深度と略同一の被写界深度で、前記撮像画像を撮像する
請求項６に記載の表示装置。
【請求項８】
前記表示部の表示画面に対する前記ユーザの位置を検出するユーザ位置検出部
をさらに備え、
前記反射画像生成部は、前記ユーザ位置検出部が検出した前記ユーザの位置に基づいて、前記撮像画像から前記反射画像を生成する
請求項１に記載の表示装置。
【請求項９】
前記ユーザ位置検出部は、前記表示部の表示画面に対する前記ユーザの右眼の位置及び前記ユーザの左眼の位置を検出し、
前記反射画像生成部は、前記ユーザ位置検出部が検出した前記ユーザの右眼の位置に基づいて、前記撮像画像から右眼用反射画像を生成し、前記ユーザ位置検出部が検出した前記ユーザの左眼の位置に基づいて、前記撮像画像から左眼用反射画像を生成し、
前記表示画像生成部は、前記右眼用反射画像及び前記左眼用反射画像を前記ユーザに認識させないように、前記右眼用反射画像及び前記左眼用反射画像に基づいて前記原画像を補正して前記表示画像を生成する
請求項８に記載の表示装置。
【請求項１０】
前記表示部は、
前記ユーザの右眼に認識させる右眼用表示画像を表示する右眼用表示デバイスと、
前記ユーザの左眼に認識させる左眼用表示画像を表示する左眼用表示デバイスと
を有し、
前記表示画像生成部は、前記右眼用反射画像を前記ユーザの右眼に認識させないように、前記右眼用反射画像に基づいて右眼用原画像を補正して前記右眼用表示画像を生成し、前記左眼用反射画像を前記ユーザの左眼に認識させないように、前記左眼用反射画像に基づいて左眼用原画像を補正して前記左眼用表示画像を生成する
請求項９に記載の表示装置。
【請求項１１】
表示部の表示画面に反射してユーザに認識される被写体の撮像画像を撮像する段階と、
前記表示部の表示画面に反射して前記ユーザに認識されうる反射画像を前記撮像画像から生成する段階と、
前記反射画像を前記ユーザに認識させないように、前記反射画像に基づいて原画像を補正して表示画像を生成する段階と、
前記表示画像を表示する段階と
を備える表示方法。
【請求項１２】
表示装置用のプログラムであって、
前記表示装置を、
表示画像を表示する表示部、
前記表示部の表示画面に反射してユーザに認識される被写体の撮像画像を撮像する撮像部、
前記表示部の表示画面に反射して前記ユーザに認識されうる反射画像を前記撮像画像から生成する反射画像生成部、
前記反射画像を前記ユーザに認識させないように、前記反射画像に基づいて原画像を補正して前記表示画像を生成する表示画像生成部
として機能させるプログラム。
【発明の詳細な説明】
【技術分野】
【０００１】
本発明は、表示装置、表示方法、及びプログラムに関する。特に本発明は、表示画面に反射する反射画像に基づいて表示画像を補正して表示する表示装置、当該表示装置による表示方法、及び当該表示装置用のプログラムに関する。
【背景技術】
【０００２】
従来の液晶ディスプレイ等の表示装置においては、表示画面にアンチグレア処理を施して細かい凹凸を形成することによって、表示画面から反射する光を乱反射させ、表示画面にユーザの背景が写り込むことを低減している。一方、近年、表示装置の高解像度化が急速に進んでいる。そして、高解像度の表示装置においては、表示画面にアンチグレア処理が施されることによって、ユーザに提供できる解像度が低減してしまうことを防ぐため、アンチグレア処理が施されていないラスタビュー液晶が採用されるようになっている。
【０００３】
現時点で先行技術文献の存在を認識していないので、先行技術文献に関する記載を省略する。
【発明の開示】
【発明が解決しようとする課題】
【０００４】
しかしながら、従来の課題は依然として解決されておらず、ラスタビュー液晶が採用されている表示装置においては、表示画面にユーザの背景が写り込んでしまう。また、ユーザの背景の写り込みを低減するために表示画面にアンチグレア処理が施されると、高解像度の表示装置によってユーザに提供できる解像度が低減してしまう。そのため、表示装置の高解像度を維持しつつ、ユーザの背景の写り込みを低減する方法が必要となっている。
【０００５】
そこで本発明は、上記の課題を解決することができる表示装置、表示方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００６】
本発明の第１の形態によると、表示装置は、表示画像を表示する表示部と、表示部の表示画面に反射してユーザに認識される被写体の撮像画像を撮像する撮像部と、表示部の表示画面に反射してユーザに認識されうる反射画像を撮像画像から生成する反射画像生成部と、反射画像をユーザに認識させないように、反射画像に基づいて原画像を補正して表示画像を生成する表示画像生成部とを備える。
【０００７】
表示画像生成部は、予め定められた明るさより明るい反射画像の部分領域に対応する原画像の部分領域の内部の明るさを低減させることによって表示画像を生成してもよい。
【０００８】
表示画像生成部は、原画像の部分領域の内部における部分領域の周縁のみの明るさを低減させることによって表示画像を生成してもよい。
【０００９】
表示画像生成部は、予め定められた明るさより明るい反射画像の部分領域に対応する原画像の部分領域の外部の明るさを増加させることによって表示画像を生成してもよい。
【００１０】
表示画像生成部は、原画像の部分領域の外部における部分領域の周辺のみの明るさを増加させることによって表示画像を生成してもよい。
【００１１】
撮像部は、ユーザの眼の被写界深度と略同一の被写界深度で、撮像画像を撮像してもよい。
【００１２】
ユーザが存在する環境の明るさを検知する環境光検知部と、環境光検知部が検出した環境の明るさに基づいて、ユーザの眼の被写界深度を算出する被写界深度算出部とをさらに備え、撮像部は、被写界深度算出部が算出したユーザの眼の被写界深度と略同一の被写界深度で、撮像画像を撮像してもよい。
【００１３】
表示部の表示画面に対するユーザの位置を検出するユーザ位置検出部をさらに備え、反射画像生成部は、ユーザ位置検出部が検出したユーザの位置に基づいて、撮像画像から反射画像を生成してもよい。
【００１４】
ユーザ位置検出部は、表示部の表示画面に対するユーザの右眼の位置及びユーザの左眼の位置を検出し、反射画像生成部は、ユーザ位置検出部が検出したユーザの右眼の位置に基づいて、撮像画像から右眼用反射画像を生成し、ユーザ位置検出部が検出したユーザの左眼の位置に基づいて、撮像画像から左眼用反射画像を生成し、表示画像生成部は、右眼用反射画像及び左眼用反射画像をユーザに認識させないように、右眼用反射画像及び左眼用反射画像に基づいて原画像を補正して表示画像を生成してもよい。
【００１５】
表示部は、ユーザの右眼に認識させる右眼用表示画像を表示する右眼用表示デバイスと、ユーザの左眼に認識させる左眼用表示画像を表示する左眼用表示デバイスとを有し、表示画像生成部は、右眼用反射画像をユーザの右眼に認識させないように、右眼用反射画像に基づいて右眼用原画像を補正して右眼用表示画像を生成し、左眼用反射画像をユーザの左眼に認識させないように、左眼用反射画像に基づいて左眼用原画像を補正して左眼用表示画像を生成してもよい。
【００１６】
本発明の第２の形態によると、表示方法は、表示部の表示画面に反射してユーザに認識される被写体の撮像画像を撮像する段階と、表示部の表示画面に反射してユーザに認識されうる反射画像を撮像画像から生成する段階と、反射画像をユーザに認識させないように、反射画像に基づいて原画像を補正して表示画像を生成する段階と、表示画像を表示する段階とを備える。
【００１７】
本発明の第３の形態によると、表示装置用のプログラムは、表示装置を、表示画像を表示する表示部、表示部の表示画面に反射してユーザに認識される被写体の撮像画像を撮像する撮像部、表示部の表示画面に反射してユーザに認識されうる反射画像を撮像画像から生成する反射画像生成部、反射画像をユーザに認識させないように、反射画像に基づいて原画像を補正して表示画像を生成する表示画像生成部として機能させる。
【００１８】
なお上記の発明の概要は、本発明の必要な特徴の全てを列挙したものではなく、これらの特徴群のサブコンビネーションもまた発明となりうる。
【発明の効果】
【００１９】
本発明によれば、ユーザの背景の表示画面へ写り込みを低減して表示する表示装置を提供できる。
【発明を実施するための最良の形態】
【００２０】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００２１】
図１は、本発明の一実施形態に係る表示装置１００の使用態様の一例を示す。本実施形態に化係る表示装置１００によれば、表示装置１００が備える表示部１０２の表示画面に、部屋の蛍光灯等のユーザの背景が写り込むことによって表示装置１００が表示している表示画像をユーザが認識し難いにくくなることを防ぐことを目的とする。具体的な方法としては、表示装置１００が備える撮像部１０４によってユーザの背景を撮影し、ユーザの位置に応じて、表示部１０２の表示画面に反射してユーザに認識されうる背景を予測する。そして、表示部１０２の表示画面に反射してユーザに認識されうる背景を打ち消すように、又は表示部１０２の表示画面に反射してユーザに認識されうる背景をぼかすように画像を補正して表示部１０２に表示させる。
【００２２】
図２は、本実施形態に係る表示装置１００のブロック構成の一例を示す。表示装置１００は、表示部１０２、撮像部１０４、原画像取得部２００、被写界深度算出部２０２、環境光検知部２０４、ユーザ位置検出部２０６、反射画像生成部２０８、及び表示画像生成部２１０を備える。なお、表示装置１００は、テレビ受像器、モニタ等である。また、表示装置１００は、コンピュータ等の情報処理装置と、モニタ等の表示デバイスとから構成されてもよい。
【００２３】
原画像取得部２００は、外部から原画像を入力する。原画像取得部２００は、通信ネットワークを介して原画像を入力するネットワークインタフェースであってもよいし、ＤＶＤ等の記録媒体から原画像を読み出して入力するドライブであってもよいし、テレビ放送として原画像を受信するアンテナであってもよい。
【００２４】
撮像部１０４は、表示部１０２の表示画面に反射してユーザに認識される被写体の撮像画像を撮像する。撮像部１０４は、図１に示すように、表示部１０２の表示画面の近傍に設けられ、表示部１０２の表示画面に対向する被写体の撮像画像を撮像する。撮像部１０４は、異なる位置に設けられた複数の撮像デバイスを有し、複数の撮像デバイスのそれぞれによって複数の撮像画像を撮像してもよい。
【００２５】
ユーザ位置検出部２０６は、撮像部１０４が撮像した撮像画像に基づいて、表示部１０２の表示画面に対するユーザの位置を検出する。即ち、ユーザ位置検出部２０６は、表示部１０２の表示画面に対するユーザの方向、及び表示部１０２の表示画面からユーザまでの距離を検出する。具体的には、ユーザ位置検出部２０６は、撮像部１０４が撮像した撮像画像から画像マッチングによってユーザの顔を抽出して、撮像画像におけるユーザの顔の位置から表示部１０２の表示画面に対するユーザの方向を検出し、撮像画像におけるユーザの顔の大きさから表示部１０２の表示画面からユーザまでの距離を検出する。また、撮像部１０４が複数の撮像デバイスによって複数の撮像画像を撮像する場合には、複数の撮像画像から表示部１０２の表示画面に対するユーザの位置を検出してもよい。また、他の例においては、ユーザ位置検出部２０６は、赤外線等のレーザ光又は超音波をユーザに照射することによってユーザの位置を検出する測距センサであってもよい。
【００２６】
環境光検知部２０４は、撮像部１０４が撮像した撮像装置に基づいて、ユーザが存在する環境の明るさを検知する。そして、被写界深度算出部２０２は、環境光検知部２０４が検出したユーザが存在する環境の明るさに基づいて、ユーザの瞳孔の大きさを算出する。そして、被写界深度算出部２０２は、算出した瞳孔の大きさ、及びユーザ位置検出部２０６が検出した表示部１０２の表示画面からユーザまでの距離に基づいて、ユーザの眼が表示部１０２の表示画面に焦点が合っている場合のユーザの眼の被写界深度を算出する。そして、撮像部１０４は、被写界深度算出部２０２が算出したユーザの眼の被写界深度と略同一の被写界深度で、撮像画像を撮像する。
【００２７】
反射画像生成部２０８は、ユーザ位置検出部２０６が検出したユーザの位置に基づいて、表示部１０２の表示画面に反射してユーザに認識されうる反射画像を、撮像部１０４がユーザの眼の被写界深度と略同一の被写界深度で撮像した撮像画像から生成する。表示画像生成部２１０は、反射画像生成部２０８が生成した反射画像をユーザに認識させないように、反射画像に基づいて原画像を補正して表示画像を生成する。そして、表示部１０２は、表示画像生成部２１０が生成した表示画像を表示する。
【００２８】
以上のように、本実施形態に係る表示装置１００によれば、原画像を補正することによって反射画像を打ち消した又はぼかした表示画像を生成して表示することによって、ユーザに原画像を忠実に認識させることができる。また、本実施形態に係る表示装置１００によれば、表示部１０２の表示画面にアンチグレア処理を施すことなく、原画像を補正することによって反射画像を打ち消す又はぼかすことができる。したがって、高解像度の表示装置１００において、表示部１０２の表示画面へのユーザの背景の写り込みを低減しつつ、高画質の原画像をそのままユーザに認識させることができる。
【００２９】
図３は、本実施形態に係る撮像部１０４による被写界深度の制御方法の一例を示す。ユーザの眼の焦点が表示部１０２の表示画面に合っている場合において、表示部１０２の表示画面に反射してユーザに認識される反射画像を適切に生成するため、撮像部１０４は、ユーザが表示部１０２の表示画面を介して認識する被写体の撮像画像を作成しなければならない。
【００３０】
そこで、撮像部１０４は、被写界深度算出部２０２が算出したユーザの眼の被写界深度と略同一の被写界深度で、撮像画像を撮像する。具体的には、撮像部１０４は、レンズを駆動することにより合焦距離を調整し、また絞りの大きさを調整する。これによって、撮像部１０４の焦点位置における光の交点の角度を、表示部１０２の表示画面上のユーザの眼の焦点位置における光の交点の角度と略同一にし、撮像部１０４の被写界深度をユーザの眼の被写界深度と略同一にする。その結果、撮像部１０４は、表示部１０２の表示画面に反射してユーザに認識される撮像画像を撮像することができる。
【００３１】
図３に示すように、ユーザの眼と撮像部１０４とでは、ユーザの背景の被写体に対する焦点位置が異なるが、ユーザの眼と撮像部１０４と焦点位置の差は、焦点位置からユーザの背景までの距離に比べて十分小さいため、影響が少ないと考えられる。なお、撮像部１０４の焦点距離を小さくすること、及び撮像部１０４の絞りを小さくすることによって、ユーザの眼と撮像部１０４と焦点位置の差を小さくすることができる。そのため、撮像部１０４は、ユーザの眼より短い焦点距離で合焦できることが好ましく、また、ユーザの瞳孔より小さい絞りを実現できることが好ましい。
【００３２】
図４は、本実施形態に係る反射画像生成部２０８による反射画像生成方法の一例を示す。撮像部１０４は、表示部１０２の表示画面に反射してユーザに認識される被写体の領域である反射領域より広い領域である撮像領域を撮像する。そして、反射画像生成部２０８は、撮像部１０４が撮像した撮像領域の画像である撮像画像から、反射領域の画像である反射画像を抽出する。具体的には、反射画像生成部２０８は、撮像部１０４の撮像方向、ユーザ位置検出部２０６が検出した表示部１０２の表示画面又は撮像部１０４に対するユーザの方向、及び表示部１０２の表示画面からユーザまでの距離に基づいて、撮像部１０４が撮像した撮像画像から反射画像を抽出する。
【００３３】
なお、撮像部１０４は、異なる方向をそれぞれ撮像する複数の撮像デバイスを有し、複数の撮像デバイスによって広い範囲を撮像してもよい。また、撮像部１０４は、駆動機構を有し、撮像方向を変えて複数の撮像画像を撮像することによって広い範囲を撮像してもよい。また、撮像部１０４は、ユーザ位置検出部２０６が検出したユーザの位置に基づいて、表示部１０２の表示画面に反射してユーザに認識される被写体の方向を特定し、特定した被写体の方向に撮像方向を変えて撮像画像を撮像してもよい。
【００３４】
図５は、本実施形態に係る表示画像生成部２１０による原画像の補正方法の一例を示す。図５（ａ）は、撮像部１０４によって撮像された撮像画像の、撮像画像における位置に対する輝度を示す。図５（ｂ）は、反射画像生成部２０８によって生成された反射画像の、反射画像の位置に対する輝度を示す。図５（ｃ）、図５（ｄ）、及び図５（ｅ）は、反射画像に応じた、表示部１０２によって表示される表示画像の、表示画像における位置に対する輝度の補正量を示す。
【００３５】
図５（ａ）に示すような撮像画像が撮像部１０４によって撮像された場合、反射画像生成部２０８は、図５（ｂ）に示すような反射画像を生成する。つまり、反射画像生成部２０８は、ユーザ位置検出部２０６が検出したユーザの位置に基づいて撮像画像から反射画像を抽出し、さらに予め定められた所定の輝度を反射画像の全体から減ずる。ここで、予め定蹴られた所定の輝度は、例えば表示部１０２の表示画面の反射率によって定められ、表示部１０２の表示画面に反射してユーザに認識されうる輝度の閾値である。
【００３６】
表示画像生成部２１０は、表示画像生成部２１０は、予め定められた明るさより明るい反射画像の部分領域に対応する原画像の部分領域の外部の明るさを増加させることによって表示画像を生成する。又は、表示画像生成部２１０は、予め定められた明るさより明るい反射画像の部分領域に対応する原画像の部分領域の内部の明るさを低減させることによって表示画像を生成する。しかしながら、表示部１０２の輝度調整範囲には限度があることから、原画像を補正することによって反射画像を完全に打ち消すことができない場合がある。そこで、このような場合には、図５（ｃ）、図５（ｄ）、又は図５（ｅ）に示すような補正方法により、ユーザの眼に反射画像を認識させ難くするように原画像を補正して表示画像を生成する。
【００３７】
図５（ｃ）の補正方法においては、表示画像生成部２１０は、反射画像の部分領域に対応する原画像の部分領域の外部における、部分領域の周辺のみの明るさを増加させることによって表示画像を生成する。また、図５（ｄ）の補正方法においては、表示画像生成部２１０は、反射画像の部分領域に対応する原画像の部分領域の内部における部分領域の周縁のみの明るさを低減させることによって表示画像を生成する。また、図５（ｅ）の補正方法においは、表示画像生成部２１０は、反射画像の部分領域に対応する原画像の部分領域の外部における、部分領域の周辺のみの明るさを増加させ、原画像の部分領域の内部における部分領域の周縁のみの明るさを低減させることによって表示画像を生成する。このように、反射画像における輝度の急激な変化をぼかすことによって、ユーザの眼に反射画像を認識させ難くすることができる。
【００３８】
図６は、本実施形態に係る表示画像生成部２１０による原画像の補正方法の一例を示す。図６（ａ）は、撮像部１０４によって撮像された撮像画像の、撮像画像における位置に対する輝度を示す。図６（ｂ）は、反射画像生成部２０８によって生成された右眼用反射画像の、右眼反射画像の位置に対する輝度を示す。図６（ｃ）は、反射画像生成部２０８によって生成された左眼用反射画像の、左眼用反射画像の位置に対する輝度を示す。図６（ｄ）は、右眼用反射画像に応じた、表示部１０２によって表示される表示画像の、表示画像における位置に対する輝度の補正量を示す。図６（ｅ）は、左眼用反射画像に応じた、表示部１０２によって表示される表示画像の、表示画像における位置に対する輝度の補正量を示す。
【００３９】
上述した例においては、反射画像生成部２０８は、撮像部１０４が撮像した撮像画像から、ユーザ位置検出部２０６が検出したユーザの位置に基づいて反射画像を生成しているが、表示部１０２の表示画面に反射してユーザに認識される反射画像をより正確に生成するためには、ユーザの右眼及び左眼のそれぞれの位置に基づいて、ユーザの右眼に認識される右眼反射画像及びユーザの左眼に認識される左眼反射画像をそれぞれ生成することが必要である。
【００４０】
即ち、ユーザ位置検出部２０６は、表示部１０２の表示画面に対するユーザの右眼の位置及びユーザの左眼の位置を検出する。そして、反射画像生成部２０８は、ユーザ位置検出部２０６が検出したユーザの右眼の位置に基づいて、撮像部１０４が撮像した図６（ａ）に示すような撮像画像から、図６（ｂ）に示すような右眼用反射画像を生成する。また、ユーザ位置検出部２０６は、ユーザ位置検出部２０６が検出したユーザの左眼の位置に基づいて、撮像部１０４が撮像した図６（ａ）に示すような撮像画像から、図６（ｃ）に示すような左眼用反射画像を生成する。
【００４１】
表示画像生成部２１０は、反射画像生成部２０８が生成した右眼用反射画像及び左眼用反射画像をユーザに認識させないように、右眼用反射画像及び左眼用反射画像に基づいて原画像を補正して表示画像を生成する。例えば、表示画像生成部２１０は、図６（ｄ）に示すように右眼反射画像の部分領域に対応する原画像の部分領域の外部における、部分領域の周辺のみの明るさを増加させることによって表示画像を生成し、さらに、図６（ｅ）に示すように左眼反射画像の部分領域に対応する原画像の部分領域の外部における、部分領域の周辺のみの明るさを増加させることによって表示画像を生成する。
【００４２】
以上のように、ユーザの右眼の位置及び左眼の位置をそれぞれ検出して右眼用反射画像及び左眼用反射画像をそれぞれ生成して原画像を補正することによって、表示部１０２の表示画面に反射してユーザに認識される反射画像をより正確に補正することができる。なお、上述の図６（ｄ）及び図６（ｅ）における補正方法では、図５（ｃ）と同様の補正方法によるものを説明した、図５（ｄ）又は図５（ｅ）と同様の補正方法によるものであってもよい。
【００４３】
図７は、本実施形態に係る表示装置１００の他の例を示す。本例に係る表示装置１００の構成及び動作は、以下に説明する部分を除き、図１から図６に示した表示装置１００の構成及び動作と同一であるので説明を省略する。本例に係る表示装置１００は、ステレオディスプレイを備え、立体画像を表示する。即ち、表示部１０２は、複数の右眼用表示デバイス（Ｒ）及び複数の左眼用表示デバイス（Ｌ）を有する。
【００４４】
ユーザ位置検出部２０６は、表示部１０２の表示画面に対するユーザの右眼の位置及びユーザの左眼の位置を検出する。そして、反射画像生成部２０８は、ユーザ位置検出部２０６が検出したユーザの右眼の位置に基づいて、撮像部１０４が撮像した撮像画像から右眼用反射画像を生成する。また、ユーザ位置検出部２０６は、ユーザ位置検出部２０６が検出したユーザの左眼の位置に基づいて、撮像部１０４が撮像した撮像画像から左眼用反射画像を生成する。
【００４５】
表示画像生成部２１０は、反射画像生成部２０８が生成した右眼用反射画像をユーザの右眼に認識させないように、右眼用反射画像に基づいて右眼用原画像を補正して右眼用表示画像を生成する。また、表示画像生成部２１０は、反射画像生成部２０８が生成した左眼用反射画像をユーザの左眼に認識させないように、左眼用反射画像に基づいて左眼用原画像を補正して左眼用表示画像を生成する。そして、右眼用表示デバイス（Ｒ）は、表示画像生成部２１０が生成ひたユーザの右眼に認識させる右眼用表示画像を表示し、左眼用表示デバイス（Ｌ）は、表示画像生成部２１０が生成したユーザの左眼に認識させる左眼用表示画像を表示する。
【００４６】
以上のように、表示装置１００がステレオディスプレイによって立体画像をユーザに提供する場合であっても、右眼用原画像を右眼用反射画像により補正し、左眼用原画像を左眼用反射画像により補正することによって、表示装置１００の表示画面に反射してユーザに認識される反射画像を打ち消し又はぼかしてユーザに立体画像を忠実に認識させることができる。
【００４７】
図８は、本実施形態に係る表示装置１００のハードウェア構成の一例を示す。表示装置１００は、ホスト・コントローラ１５８２により相互に接続されるＣＰＵ１５０５、ＲＡＭ１５２０、グラフィック・コントローラ１５７５、及び表示デバイス１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００４８】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示デバイス１５８０上に表示させる。これに代えて、グラフィック・コントローラ１５７５は、ＣＰＵ１５０５等が生成する画像データを格納するフレーム・バッファを、内部に含んでもよい。
【００４９】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、表示装置１００内のＣＰＵ１５０５が使用するプログラム及びデータを格納する。ＣＤ−ＲＯＭドライブ１５６０は、ＣＤ−ＲＯＭ１５９５からプログラム又はデータを読み取り、ＲＡＭ１５２０を介してハードディスクドライブ１５４０に提供する。
【００５０】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、表示装置１００が起動時に実行するブート・プログラムや、表示装置１００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００５１】
ＲＡＭ１５２０を介してハードディスクドライブ１５４０に提供されるプログラムは、フレキシブルディスク１５９０、ＣＤ−ＲＯＭ１５９５、又はＩＣカード等の記録媒体に格納されて利用者によって提供される。プログラムは、記録媒体から読み出され、ＲＡＭ１５２０を介して表示装置１００内のハードディスクドライブ１５４０にインストールされ、ＣＰＵ１５０５において実行される。表示装置１００にインストールされて実行されるプログラムは、ＣＰＵ１５０５等に働きかけて、表示装置１００を、図１から図７にかけて説明した表示装置１００として機能させる。
【００５２】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムを表示装置１００に提供してもよい。
【００５３】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００５４】
【図１】表示装置１００の使用態様の一例を示す図である。
【図２】表示装置１００のブロック構成の一例を示す図である。
【図３】撮像部１０４による被写界深度の制御方法の一例を示す図である。
【図４】反射画像生成部２０８による反射画像生成方法の一例を示す図である。
【図５】表示画像生成部２１０による原画像の補正方法の一例を示す図である。
【図６】表示画像生成部２１０による原画像の補正方法の一例を示す図である。
【図７】表示装置１００の他の例を示す図である。
【図８】表示装置１００のハードウェア構成の一例を示す図である。
【符号の説明】
【００５５】
１００  表示装置
１０２  表示部
１０４  撮像部
２００  原画像取得部
２０２  被写界深度算出部
２０４  環境光検知部
２０６  ユーザ位置検出部
２０８  反射画像生成部
２１０  表示画像生成部
【図１】
2005346012.tif 000003
【図２】
2005346012.tif 000004
【図３】
2005346012.tif 000005
【図４】
2005346012.tif 000006
【図５】
2005346012.tif 000007
【図６】
2005346012.tif 000008
【図７】
2005346012.tif 000009
【図８】
2005346012.tif 000010